(57)【要約】【課題】商品の集合包装用函体の素材を切り詰めてコストダウンをはかる。【解決手段】瓶詰め、缶詰め、または紙パックした個別包装体Ａを幾つか纏めてグループ包装体Ｂとし、これを幾つか纏めて収容する集合包装用函体１０であって、その集合包装用函体１０の底板１１と、向き合う側板１２と、天板の両側部分１３とを一枚の板状素材で形成し、さらに、上記底板１１、側板１２および天板の両側部分１３から前・後フラップ１４を一体に延設し、この板状素材を折り畳んで前・後フラップ１４の重なり部分を接着してなる。上記天板の両側部分１３の幅の合計が底板１１の幅の３０〜６０％になるようにし、上記天板の両側部分１３が、集合包装用函体１０の長さ方向に形成され、好ましくは上記底板１１と天板の両側部分１３から延設された前・後フラップ１４ａ，１４ｃを折り畳んだとき、その先端が互いに突き合わせ状態にし、上記板状素材は、厚さ２〜８ｍｍの段ボールとする。【選択図】図１
0003108790.tif 000002
【実用新案登録請求の範囲】
【請求項１】
瓶詰め、缶詰め、または紙パックした個別包装体を集合包装する函体であって、その函体の底板と、向き合う側板と、天板の両側部分とを一枚の板状素材で形成し、さらに、上記底板、側板および天板の両側部分から前・後フラップを一体に延設し、この板状素材を折り畳んで前・後フラップの重なり部分を接着して函体としたことを特徴とする集合包装用函体。
【請求項２】
上記天板の両側部分の幅の合計が底板幅の３０〜６０％になるようにしたことを特徴とする請求項１に記載の集合包装用函体。
【請求項３】
上記天板の両側部分が、函体の長さ方向に形成されたことを特徴とする請求項1または２に記載の集合包装用函体。
【請求項４】
上記底板と天板の両側部分から延設された前・後フラップを折り畳んだとき、その先端が互いに突き合わせ状態になることを特徴とする請求項1乃至３のいずれかに記載の集合包装用函体。
【請求項５】
上記板状素材は、厚さ２〜８ｍｍの段ボールからなることを特徴とする請求項1乃至４のいずれかに記載の集合包装用函体。
【請求項６】
上記個別包装体を複数個纏めて集合包装体とし、この集合包装体を複数個纏めて収容することを特徴とする集合包装用函体。
【考案の詳細な説明】
【技術分野】
【０００１】
この考案は個別包装した商品を集合包装する函体に関する。
【背景技術】
【０００２】
瓶詰め、缶詰あるいは紙パックなどで個別包装した商品を６個あるいは１０個纏めて集合包装体とし、この集合包装体を幾つか、例えば１０個単位、１２個単位で纏めて包装するパッケージがかなりの分野で採用されてきている。
【考案の開示】
【考案が解決しようとする課題】
【０００３】
こうした包装形態の分野でも、今日、商品のコストダウンが厳しく追及され、商品におけるコストダウンは限界に達し、それ以外の部分、例えば包装の部分でもコストダウンを求められてきている。
【０００４】
しかし、包装のコストダウンでも既に種々の検討が加えられ、これ以上のコストダウンをするには包装材料を切り詰める以外にないといわれている。
【０００５】
この考案は上記状況に鑑み、商品の集合包装用函体の素材を切り詰めてコストダウンを図ることを課題とする。
【課題を解決するための手段】
【０００６】
上記課題を解決するためにこの考案は、瓶詰め、缶詰め、または紙パックした個別包装体を集合包装する函体であって、その函体の底板と、向き合う側板と、天板の両側部分とを一枚の板状素材で形成し、さらに、上記底板、側板および天板の両側部分から前・後フラップを一体に延設し、この板状素材を折り畳んで前・後フラップの重なり部分を接着してなる構成としたもの（請求項１）で、上記天板の両側部分の幅の合計が底板幅の３０〜６０％になる（請求項２）ようにし、上記天板の両側部分が、函体の長さ方向に形成（請求項３）され、上記底板と天板の両側部分から延設された前・後フラップを折り畳んだとき、その先端が互いに突き合わせ状態（請求項４）になり、上記板状素材は、厚さ２〜８ｍｍの段ボール（請求項５）からなり、上記個別包装体を複数個纏めて集合包装体とし、この集合包装体を複数個纏めて収容（請求項６）するようにしたものである。
【考案の効果】
【０００７】
上記の如く構成するこの考案によれば、集合包装用函体の天板中央部分で段ボールがなく、その分、段ボールの節約となる。また、函体の側板部分には、底板と天板の両側部分に段ボールが存在するので、商品を包装した本考案に係る函体を積み重ねた場合でも函体が潰れることはない。
【０００８】
また、前・後フラップを折り畳んだとき、その先端が突き当たるようにしたもの（図１参照）では、強度が増して、商品包装済みの函体を高く積み重ねることが可能となる。
【考案を実施するための最良の形態】
【０００９】
次にこの考案の実施の形態を、図面を参照しながら説明する。瓶詰め（缶詰め、紙パックの場合もある）された個別包装体Ａは１０本宛、グループ包装Ｂされ、グループ包装Ｂされたものが４個（４０本）集合包装用函体１０に収納されている。
【００１０】
この集合包装用函体１０は、その底板１１と向き合う側板１２と天板の両側部分１３とを一枚の段ボール（紙パルプ製、プラスチック製いずれも可）で形成し、さらに、上記底板１１、側板１２および天板の両側部分１３から前・後フラップ１４を一体に延設し、この段ボールを折り畳み、前・後フラップ１４が重なる部分を接着（実際の包装では、グループ包装体Ｂを収容してから接着する）してできている。
【実施例１】
【００１１】
図２は実施例１で、底板１１から延びる前・後フラップ１４ａと天板の両側部分１３から延びる前・後フラップ１４ｃの長さを側板１２の高さの１/２より短くしている。従って、その先端は突き合わされない。
【実施例２】
【００１２】
図３は実施例２で、底板１１から延びる前・後フラップ１４ａと天板の両側部分１３から延びる前・後フラップ１４ｃの長さを側板１２の高さの１/２としているので、その先端が突き合わされる。
【００１３】
ここで、実施例１（図２）と実施例２（図３）とを比較すると、実施例２は強度が大きく、包装済み集合包装用函体を高く積み重ねることできるが、段ボールの生地を節約する観点から見ると実施例１の方が有利である。
【００１４】
なお、図示しないが、底板１１から延びる前・後フラップ１４ａの長さを側板１２の高さと同一にすると、集合包装用函体１０の前・後が完全に覆われた状態になり、強度も大きくなる。
【００１５】
このように構成した集合包装用函体１０に、個別包装体Ａを纏めて集合包装体Ｂとし、このグループ包装体Ｂを集合包装用函体１０に収容し前・後フラップを折り畳んで、その重なり部分を接着して包装は完了する。
【００１６】
上記天板の両側部分１３の幅の合計が底板１１の幅の３０〜６０％になるようにするのは、天板の両側部分１３の幅を狭くし過ぎると集合包装用函体１０の強度が不十分となり、包装済みの集合包装用函体１０の積み重ねが難しくなるからであり、幅を大きくすることは、段ボール生地の節約効果が薄れるからである。
【００１７】
また、上記天板の両側部分１３が、集合包装用函体１０の長さ方向に形成するようにするのは、短い方向に天板の両側部分１３を形成したのでは、集合包装用函体１０の強度が不足するからである。
【００１８】
上記板状素材は、厚さ２〜８ｍｍの段ボールとしたのは、２ｍｍ未満では強度が不十分となり、８ｍｍを越えるとコストダウンをはかる目的に反するからである。
【００１９】
上記のように個別包装体Ａをグループ包装Ｂし、これを複数個纏めて包装するのは、包装を容易にすることと、集合包装用函体１０を解体したあとグループ包装Ｂごとに取り扱えるようにするためである。
【産業上の利用可能性】
【００２０】
以上説明したようにこの考案によれば、集合包装用函体の素材を節約しながら強度を保障して包装体の積み重ねを可能にし、コストダウンを図るもので産業上の利用可能性は大きい。
【図面の簡単な説明】
【００２１】
【図１】本考案に係る集合包装用函体の斜視図
【図２】実施例１の（ａ）展開図、（ｂ）斜視図
【図３】実施例２の（ａ）展開図、（ｂ）斜視図
【符号の説明】
【００２２】
１０  集合包装用函体
１１  底板
１２  側板
１３  天板の両側部分
１４  前・後フラップ
１４ａ  底板の前・後フラップ
１４ｂ  側板の前・後フラップ
１４ｃ  天板の両側部分の前・後フラップ
Ａ  個別包装体
Ｂ  グループ包装（体）
【図１】
0003108790.tif 000003
【図２】
0003108790.tif 000004
【図３】
0003108790.tif 000005
【手続補正書】
【提出日】平成16年11月4日(2004.11.4)
【手続補正１】
【補正対象書類名】実用新案登録請求の範囲
【補正対象項目名】請求項６
【補正方法】変更
【補正の内容】
【請求項６】
上記個別包装体を複数個纏めて集合包装体とし、この集合包装体を複数個纏めて収容することを特徴とする請求項１乃至５のいずれかに記載の集合包装用函体。